(57)【要約】【課題】入力切替装置において機器の接続確認を容易に行う。【解決手段】映像入力端子２１〜２８と、映像出力端子３１〜３４と、映像入力端子の入力を指定された映像出力端子へ切替えるための切替回路４とを備えた入力切替装置１であって、映像入力端子２１〜２８に対する映像信号入力を検出する映像信号検出回路５と、映像信号検出回路５の検出結果に基づいて切替回路４を作動させる制御部７とを備える。さらに、映像入力端子２１〜２８のチャンネル名称またはチャンネル番号を表示する表示部８１〜８４を備える。【選択図】  図１
2004194208.tif 000002
【特許請求の範囲】
【請求項１】
複数の入力端子と、出力端子と、前記入力端子の入力を前記出力端子へ切替えるための切替手段とを備えた入力切替装置であって、
前記複数の入力端子に対する信号入力を検出する信号検出手段と、
前記信号検出手段の検出結果に基づいて前記切替手段を制御する制御手段と、
を備える入力切替装置。
【請求項２】
複数の入力端子と、出力端子と、前記入力端子の入力を前記出力端子へ切替えるための切替手段とを備えた入力切替装置であって、
前記複数の入力端子に対するケーブル接続を検出するケーブル接続検出手段と、
前記ケーブル接続検出手段の検出結果に基づいて前記切替手段を制御する制御手段と、
を備える入力切替装置。
【請求項３】
前記制御手段の制御に基づき、前記複数の入力端子のチャンネル名称またはチャンネル番号を表示する表示手段を前記出力端子に対応して備える請求項１又は２記載の入力切替装置。
【発明の詳細な説明】
【０００１】
【発明の属する技術分野】
本発明は、複数の入力機器からの入力信号の切替えを行う入力切替装置に関する。
【０００２】
【従来の技術】
従来、例えば、カメラ等の映像機器が接続される映像入力切替装置は、映像信号が入力される映像入力部と、入力された映像信号を出力する映像出力部と、利用者が制御する制御部とで構成されており、利用者が制御部を制御することにより、映像入力部に入力された映像信号を選択的に切替えて映像出力部に出力している。なお、複数の入力信号を制御部が自動的に選択して入力信号の迅速な切替えを行う技術が特許文献１に記載されている。
【０００３】
【特許文献１】
登実第３０６５７４４号公報
【０００４】
【発明が解決しようとする課題】
しかしながら、従来の映像入力切替装置においては、多数の映像機器を接続する場合、映像機器の接続が正しく行われているか否かを確認するためには、利用者が映像機器を接続したあと、もしくは接続しながら制御部で任意の映像出力部に当該映像入力信号が出力されるように切替えを行い、接続された映像機器の映像入力信号が正しく映像出力部に出力されているか否かを確認する必要があった。
【０００５】
本発明は、従来の問題を解決するためになされたもので、機器の接続確認を容易に行うことができる入力切替装置を提供することを目的とする。
【０００６】
【課題を解決するための手段】
本発明の入力切替装置は、複数の入力端子と、出力端子と、前記入力端子の入力を前記出力端子へ切替えるための切替手段とを備えた入力切替装置であって、前記複数の入力端子に対する信号入力を検出する信号検出手段と、前記信号検出手段の検出結果に基づいて前記切替手段を制御する制御手段とを備える。
【０００７】
この構成により、入力端子に機器を接続すると同時に信号入力を検出して出力端子に信号を出力させることができる。従って、出力端子の出力をモニタすることで、利用者は入力端子に接続された機器の接続確認を容易に行うことができる。
【０００８】
本発明の入力切替装置は、複数の入力端子と、出力端子と、前記入力端子の入力を前記出力端子へ切替えるための切替手段とを備えた入力切替装置であって、前記複数の入力端子に対するケーブル接続を検出するケーブル接続検出手段と、前記ケーブル接続検出手段の検出結果に基づいて前記切替手段を制御する制御手段とを備える。
【０００９】
この構成により、入力端子に機器を接続すると同時にケーブル接続を検出して出力端子に信号を出力させることができる。従って、出力端子の出力をモニタすることで、利用者は入力端子に接続された機器の接続確認を容易に行うことができる。
【００１０】
本発明の入力切替装置は、請求項１又は２記載の入力切替装置であって、前記制御手段の制御に基づき、前記複数の入力端子のチャンネル名称またはチャンネル番号を表示する表示手段を前記出力端子に対応して備える。
【００１１】
この構成により、表示部に入力部のチャネル名称またはチャネル番号を表示させることで、外部でモニタすることなく機器の接続確認を行うことができる。
【００１２】
【発明の実施の形態】
以下、本発明の実施の形態について図面を参照して説明する。
図１は、本発明の第１の実施の形態の入力切替装置の構成を示す図である。図１において、入力切替装置１は、映像入力端子２１〜２８と、映像出力端子３１〜３４と、選択された映像入力を指定された映像出力端子へ切替えるための切替回路４と、映像入力端子２１〜２８に映像信号が入力されているか否かを検出する映像信号検出回路５と、利用者が操作することができる操作部６と、操作部６からの操作及び映像信号検出回路５の検出結果に基づき全体を制御する制御部７とを備える。
【００１３】
上記入力切替装置１において、まず、映像入力端子２１〜２８のいずれかに映像機器からの映像入力用ケーブルを接続する。映像信号検出回路５は新たに接続された映像機器からの映像入力信号を検出して制御部７に通知する。制御部７は、映像信号検出回路５からの通知を受けて、新たに接続された映像機器からの映像入力信号が映像出力端子３１〜３４の少なくとも１つに出力されるように切替回路４を制御する。また、制御部７は、映像出力端子３１〜３４に出力される映像信号が、どの映像入力端子に入力された映像入力信号であるかを示す識別信号を表示部８１〜８４に通知する。表示部８１〜８４は、切替回路４で切替えられた映像入力信号を映像出力端子３１〜３４に中継するとともに、制御部７からの通知を受けて、映像信号入力部のチャネル名称またはチャネル番号を表示する。
【００１４】
第１の実施の形態によれば、映像入力端子のそれぞれに映像信号の入力を検出する映像信号検出回路を設け、制御部が映像信号検出回路からの通知を受けて映像入力信号を切替える切替回路を制御することで、映像入力端子に映像機器を接続すると同時に映像出力端子に映像信号を出力させることができる。従って、映像出力端子の出力をモニタすることで、利用者は映像入力端子に接続された機器の接続確認を容易に行うことができる。また、表示部に映像入力部のチャネル名称またはチャネル番号を表示させることで、外部でモニタすることなく機器の接続確認を行うことができる。
【００１５】
図２は、本発明の第２の実施形態の入力切替装置の構成を示す図である。図１に示した部分と同一部分には同一符号を付して説明する。図２において、入力切替装置２は、映像入力端子２１〜２８と、映像出力端子３１〜３４と、切替回路４と、映像入力端子２１〜２８のそれぞれに接続ケーブルが接続されているか否かを検出するケーブル接続検出部９１〜９８と、操作部６と、操作部６からの操作及びケーブル接続検出回路部９１〜９８の検出結果に基づき全体を制御する制御部７とを備える。
【００１６】
上記入力切替装置２において、まず、映像入力端子２１〜２８のいずれかに映像入力用ケーブルを接続する。ケーブル接続検出部９１〜９８は新たに接続された映像入力用ケーブルを検出して制御部７に通知する。制御部７は、ケーブル接続検出部９１〜９８からの通知を受けて、映像入力端子に入力されている映像入力信号が映像出力端子３１〜３４の少なくとも１つに出力されるように切替回路４を制御する。また、制御部７は、映像出力端子３１〜３４に出力される映像信号が、どの映像入力端子に入力された映像入力信号であるかを示す識別信号を表示部８１〜８４に通知する。表示部８１〜８４は、切替回路４で切替えられた映像入力信号を映像出力端子３１〜３４に中継するとともに、制御部７からの通知を受けて、映像信号入力部のチャネル名称またはチャネル番号を表示する。
【００１７】
第２の実施の形態によれば、映像入力端子のそれぞれに映像入力用ケーブルの接続を検出するケーブル接続検出部を設け、制御部がケーブル接続検出部からの通知を受けて映像入力信号を切替える切替回路を制御することで、映像入力端子に映像機器を接続すると同時に映像出力端子に映像信号を出力させることができる。従って、映像出力端子の出力をモニタすることで、利用者は映像入力端子に接続された機器の接続確認を容易に行うことができる。また、表示部に映像入力部のチャネル名称またはチャネル番号を表示させることで、外部でモニタすることなく機器の接続確認を行うことができる。
【００１８】
なお、以上の説明では、映像入力端子を８回路、映像出力端子を４回路で構成した例について説明したが、映像入力端子を複数の回路で構成し、映像出力端子を単一または複数の回路で構成するもであれば、その他の回路構成についても同様に実施可能である。
【００１９】
【発明の効果】
以上のように本発明によれば、入力端子に機器を接続すると同時に出力端子に信号を出力させることができるため、出力端子の出力をモニタすることで、利用者は入力端子に接続された機器の接続確認を容易に行うことができる。さらに、表示部に入力部のチャネル名称またはチャネル番号を表示させることで、外部でモニタすることなく機器の接続確認を行うことができる。
【図面の簡単な説明】
【図１】本発明の第１の実施の形態における入力切替装置の構成を示す図。
【図２】本発明の第２の実施の形態における入力切替装置の構成を示す図。
【符号の説明】
１，２  入力切替装置
２１〜２８  映像入力端子
３１〜３４  映像出力端子
４  切替回路
５  映像信号検出回路
６  操作部
７  制御部
８１〜８４  表示部
９１〜９８  ケーブル接続検出部
【図１】
2004194208.tif 000003
【図２】
2004194208.tif 000004